(57)【要約】【課題】本考案は、浴槽内底部の沈殿物及び低温水を、大気圧、水圧及び排水時の吸引力を利用して攪拌し排水するものである。【解決手段】それぞれ浴槽側面との接触部を浴槽の形状に合わせて加工した支持脚付き中台と中板を浴槽内で構成し、排水口用蓋を中台の孔に移動して、大気圧、水圧及び湯水の流下による吸引力の総和圧力を開口部に集中させ、流下湯水の速度を限界レーノルズ数を超える流速にして、乱流を起こし浴槽底部の沈殿物を攪拌し低温水と共に排水する。【選択図】図１
0003124164.tif 000002
【実用新案登録請求の範囲】
【請求項１】
３方の浴槽との接触部を浴槽の水平断面の形状に等しく加工し、１方を直線状にした略Ｄ字型の板に、上部に突起部を有した調整ネジ付き支持脚を複数本締結し、該板の浴槽排水口上部の位置に排水口用蓋の仮置き用の孔を設けて、浴槽内に定置する定置中台とし、長手方向の２方の浴槽との接触部を定置中台と同じく浴槽の水平断面の形状に等しく加工し、排水口側を定置中台と同様に直線状とし、他方も浴槽側部との間に開口部を設ける為に直線状にして全体を略砲弾型に加工し、更に、排水口側に定置中台の上部突起部に遊合する孔を有する張り出し部を設けた板を脱着中板として定置中台と併せて浴槽用排水板を構成し、別に排水口蓋に可撓性の上蓋を重ね、浴槽内の湯水の減水時に排水口蓋を引き上げ、定置中台の仮置き用孔に遊合することにより、該排出板が、浴槽内底部にかかる該排出板上部の大気圧及び水圧を遮断し、脱着中板と浴槽側部に生じる開口部にのみ大気圧、水圧及び排水母管と浴槽排水口との落差により生じる吸引力を集積して加圧することにより、開口部より下流に於いて限界レーノルズ数１０００を越える流速にして乱流を起こし、該排出板下部の低温湯水と共に底部沈殿物を攪拌、排出することを特徴とした浴槽用排水板。
【請求項２】
中板の開口部側の先端に、球状の束子を適度の長さを持った伸縮性のゴムひもで締結し、湯水の減水時に流下湯水の速度の変化によってゴムひも伸縮させ、乱流によってランダムに位置を変えながら束子を回転させ、浴槽底部に接触して付着物を剥離させる事を特徴とした請求項１記載の浴槽用排水板。
【考案の詳細な説明】
【技術分野】
【０００１】
本考案は、浴槽内の底部沈殿物及び低温水を排出する排水板に関するものである。
【背景技術】
【０００２】
従来、浴槽内の底部の沈殿物を含む低温水のみを排出する排水板は無い。
【考案の開示】
【考案が解決しようとする課題】
【０００３】
浴槽の底部には、大気圧と水深による水圧がかかるが、排水口部分が最深部で総和圧力が大きく、更に、浴槽底部の排水勾配も緩やかなため流体抵抗いわゆるフリクションロスが影響して、湯水の減水時、排水口直上部の高温の湯も含めた部分のみの湯水を排水する。
【０００４】
実測によると、外気温度１０度の時、前夜８時に湯温４１度で入浴を終えた湯水は翌日午後５時には水深４０センチの湯水の表面で２５．５度、底部で２０．５度であった。放熱冷却と自然対流で底部に低温水があることを証明している。
【０００５】
前述の状態では、排水口付近を除いた部分の底は脱毛した人毛や垢等の沈殿物が残る。又、冷却した底部の低温水も同様である。この沈殿物を除去する為には、全湯水を排水する必要があり、もともと、湯水を一部減水してほぼ同量の高温水を補充して入浴が可能なシステムの給湯式の浴槽では不合理、かつ経済的負担が大きい。
【０００６】
全湯水を排水しても、底部の沈殿物は付着して残り、除去するには浴用洗剤で清掃する必要があり労働的負担が大きい。
【０００７】
前述の状態は給湯式の浴槽を装備した全国の家庭で起きている状況である。
【０００８】
浴槽には、ガス及び電気の何れかの熱源を要するので、炭酸ガスの排出による地球温暖化を加速している事は周知の事実である。
【課題を解決するための手段】
【０００９】
本考案は、浴槽の排水口上部に排水口用蓋を減水時に該蓋と遊合する孔を設けた定置中台を設置し、定置中台の支持脚上部の突起部と遊合する孔を用いて脱着中板を定置中台の横に水平に装着して浴槽用排水板とする。  
【００１０】
前述の浴槽用排水板は、脱着中板の排水口とは反対側の開口部を除き浴槽底部にかかる大気圧及び水圧を遮断する。
【００１１】
減水時、排水口用蓋を上部に引抜き定置中台の排水口用蓋の仮置き用孔を通過して手を放すと、排水口用蓋の上蓋は周囲に設けた可撓性のフィンが開き、仮置き用孔の上に遊合する。
【００１２】
この時点で、脱着中板の排水口とは反対側の開口部には、大気圧、脱着中板上部の湯水の水圧、排水口と排水母管との落差による真空吸引力が集中してかかる。
【００１３】
このため、前述の開口部を通過する湯水は加速され限界レーノルズ数１０００を越え、底部の低温水と混合しながら乱流となり、浴槽の底部の沈殿物を攪拌し排水口より流下する。
【００１４】
湯水が適度に減水したら、排水口用蓋を引き上げると上蓋の可撓性のフィンが自重で垂れ下がり仮置き用孔を通過し、元の排水口に嵌合し水位の調整が終わる。
【００１５】
あとは、高温水補充の操作で自動的に湯が補充されて湯水は適温になり、次に脱着中板を取外すのみで清浄な湯水での入浴準備は終わる。
【考案の効果】
【００１６】
上述のように、本考案の浴槽用排水板は、浴槽内に定置中台を常設し、減水時に脱着中板を接続して浴槽用排水板のセットが終わる。
【００１７】
減水時には、排水口用蓋を引き上げ定置中台の仮置き用孔の上に遊合させると、浴槽用排水板上の全湯水は脱着中板と浴槽との間の開口部を通過して排水口より排水母管に流下する、この時、開口部以降流速が加速され、底部の低温水と混合しながら乱流となり浴槽の底部の沈殿物を攪拌し排水口から排水される。
【００１８】
減水が終了したら、排水口用蓋を仮置き用孔より一旦引き上げ仮置き用孔を通過させ、元の排水口に嵌合復旧して後、脱着中板を外して浴槽外に置く。
【００１９】
次に、高温水補充のボタンを押せば自動的に湯が補充、湯水は適温になり、清浄な湯水での入浴準備は終わる。
【００２０】
入浴時、定置中台は足先がつかえる位置にあり、浴槽の側部のぬめりによる水没事故の防止、若しくは半身浴の椅子としても利用できる。
【考案を実施するための最良の形態】
【００２１】
本考案は、請求項１に記載したように排水口用蓋の仮置き孔を設けた板と複数の支持脚で構成する排水口上部に設置する定置中台と該中台と脱着中板とを接続して浴槽用排水板を構成すると該中板と浴槽側部との間の開口部を除いて、該排水板は排水板上部の大気圧、水圧等の総和圧力を浴槽の底部にかからないように遮断する。
【００２２】
減水時には、排水口用蓋を引き上げ定置中台の仮置き孔に該蓋を遊合させると、浴槽用排水板上の湯水は開口部以降で加速され、限界レーノルズ数１０００を超えて乱流を起こし、排水板下部の低温湯水と底部の沈殿物を攪拌し、排水口から排水される。
【００２３】
適量の湯量が排出されたら、排水口用蓋を定置中台の仮置き用孔より一旦引き上げ該孔を通過させ、元の排水口に嵌合復旧して後、脱着中板を外して浴槽外に置く。
【００２４】
次に前述の通り、高温水補充の操作で自動的に湯水が補充され、湯水は適温になり、清浄な湯水での入浴可能な状態になる。
【実施例】
【００２５】
以下、添付図面に従い一実施例を説明する。１は合成樹脂等の適正素材で構成された定置中台で、その上部の板１ｂの平面形状は一方は直線にし、９浴槽の側部との接触部は浴槽９の水平断面と同様の形状に加工し、板１のほぼ中央部に３排水口用蓋を仮置きする１ａ孔を開けている。２は調整ネジを施した複数本の支持脚で上部に２ｂナット及び上部突起部となる２ａ化粧ナットを用い上部の板１ｂと締結して定置中台を構成している。
【００２６】
３は排水口用蓋、４は上蓋で外周にフィンを花びら状に配置し、各々先端に４ａウェイトをもつ集合体で接着等の手段で排水口用蓋３と一体化したものである。更に、１０鎖で浴槽９と連結されている。
【００２７】
５脱着中板は、定置中台１の直線部との接触部は直線状とし、浴槽９の側部との接触部は浴槽９の水平断面と同様の形状に加工してある。６は張り出し部で支持脚２の上部突起部との６ａ遊合用孔を設けてある。
【００２８】
７は浴槽の排水口、８開口部は浴槽９の側部と脱着中板５の端部との間に生じる隙間である。
【００２９】
次に、入浴準備時の順序を記載する。定置中台１の突起部２ａに脱着中板５の張り出し部６の６ａ孔を遊合させ、浴槽９内に置くと脱着中板５は自重で徐々に沈下し浴槽９の側部と中板５の接触部とがマッチした位置で静止する。
【００３０】
減水のため、３排水口用蓋を７浴槽の排水口に嵌合している位置より１０鎖を持って引き上げると、排水口用蓋３の上蓋４はウェイト４ａの自重で全体の外径を縮小し、孔１ａを通過し、終わった時点で手を離すと、上蓋４は下部の湯水の抵抗で水平に全開し孔１ａに遊合して止まり、第７図の状態になる。
【００３１】
この状態では、前述の通り定置中台１と脱着中板５とで８開口部を除き浴槽９底部には大気圧、湯水による水圧が遮断されている。
【００３２】
湯水は、浴槽９の排水口７より外部の排水母管に向けて流下する、この時流下による吸引力と大気圧、湯水による総和圧力は開口部８に集中し、湯水の流下速度は加速され限界レーノルズ数１０００を超えて乱流となり、浴槽９底部の沈殿物は攪拌され、浴槽９底部に滞留した低温の湯水と共に排出される。
【００３３】
開口部８における限界レーノルズ数１０００を確保する為には、開口部８の開口面積の調整で容易である。
【００３４】
１１湯面が下がり適量が減水された時点で、孔１ａより排水口用蓋３を引き上げると、排水口用蓋３の上蓋４はウェイト４ａの自重で全体の外径を縮小し、孔１ａを通過し、排水口７に嵌合し第４図のように復旧する。
【００３５】
後は、高温水補充の操作で一定量が自動的に補充され、清浄な湯水で入浴可能な状態になる。
【図面の簡単な説明】
【００３６】
【図１】本考案の浴槽用排水板の実施例を示す断面図である。
【図２】本浴槽用排水板の実施例を示す平面図である。
【図３】本浴槽用排水板の定置中台を示す断面図である。
【図４】本浴槽用排水板の排水口用蓋を示す側面図である。
【図５】排水口用蓋を示す平面図である。
【図６】排水口用蓋と仮置き孔及び排水口との関連を示す側面図である。
【図７】排水口用蓋が仮置き孔に遊合した状態を示す断面図である。
【図８】脱着中板と定置中台との遊合部部分を示す平面図である。
【図９】脱着中板と定置中台との遊合部部分を示す断面図である。
【符号の説明】
【００３７】
１  定置中台
２  支持脚
３  排水口用蓋  
４  上蓋
５  中板
６  張り出し部
７  排水口
８  開口部
９  浴槽
【図１】
0003124164.tif 000003
【図２】
0003124164.tif 000004
【図３】
0003124164.tif 000005
【図４】
0003124164.tif 000006
【図５】
0003124164.tif 000007
【図６】
0003124164.tif 000008
【図７】
0003124164.tif 000009
【図８】
0003124164.tif 000010
【図９】
0003124164.tif 000011